(57)【要約】【課題】発電所などの各種プラントの定期点検における取替部品の発注作業を容易に行える設備管理システムを提供する。【解決手段】設備管理システム１は、工事情報入力部４と、点検計画データベース２と、取替部品データベース３と、交換部品抽出部５と、購入品集計部６と、購入明細出力部７とを備える。交換部品抽出部５は、工事情報入力部４より入力されたプラント名、工事件名及び定期点検回数に基づき、点検計画データベース２を参照し、指定された工事件名及び定期点検回数において点検の対象となる機器を抽出し、さらに、抽出した機器の情報に基づき、取替部品データベース３を参照して、抽出した各機器についての取替部品を抽出する。購入品集計部６は、抽出された取替部品を発注先ごとに集計し、購入明細出力部７はその集計結果を発注先別の購入品明細として出力する。【選択図】図１
2007241437.tif 000002
【特許請求の範囲】
【請求項１】
各回の定期点検工事における点検対象機器の指定を含んだ定期点検計画を格納するための点検計画データベースと、
各機器を構成する取替部品を表す情報が格納された取替部品データベースと、
対象となる工事件名及び定期点検工事回数の指定を受け付ける工事情報入力部と、
前記点検計画データベースを参照して、指定された工事件名及び定期点検工事回数において点検工事の対象となる機器を抽出し、前記取替部品データベースを参照して、前記抽出した各機器についての取替部品を抽出する交換部品抽出部と、を備えることを特徴とする設備管理システム。
【請求項２】
前記取替部品を表す情報は、取替部品の発注先を示す情報を含み、
前記抽出した取替部品を発注先ごとに集計する購入品集計部を備えることを特徴とする請求項１記載の設備管理システム。
【請求項３】
各回の定期点検工事における点検対象機器の指定を含んだ点検計画に関する情報が格納された点検計画データベースと、各機器を構成する取替部品の情報及び当該取替部品の発注先を示す情報が格納された取替部品データベースと、にアクセス可能なコンピュータが、
対象となる工事件名及び定期点検工事回数の指定を受け付ける工事情報入力部と、
前記点検計画データベースを参照して、指定された工事件名及び定期点検工事回数において点検工事の対象となる機器を抽出し、前記取替部品データベースを参照して、前記抽出した各機器についての取替部品を抽出するステップと、を実行することを特徴とする設備管理方法。
【発明の詳細な説明】
【技術分野】
【０００１】
本発明は設備管理システム及び設備管理方法に関し、特に発電所の定期点検における取替部品の抽出及び発注作業を容易に行うことを可能にするための設備管理システム及び設備管理方法に関する。
【背景技術】
【０００２】
発電所などの各種プラントでは、各機器を定期的に点検し、その耐久性などに応じて部品を取替える必要がある。従来は、機器ごとの点検計画に基づいて、機器の取扱説明書等から取替部品を人手により抽出し、発注メーカごとに集計して、購入明細の作成及び発注手続きを行っていた。
【発明の開示】
【発明が解決しようとする課題】
【０００３】
しかし、定期点検の対象となる機器やその取替部品の個数は膨大であり、上記のような購入品明細の作成処理はきわめて多大な労力を要する。また、作業が人手に頼っているため、人為的なミスが生じてしまう可能性がある。
【０００４】
そこで、本発明の目的は、各種プラントの定期点検における取替部品の発注処理を容易に行えるようにすることを目的とする。
【課題を解決するための手段】
【０００５】
本発明の設備管理システムは、各回の定期点検工事における点検対象機器の指定を含んだ定期点検計画を格納するための点検計画データベースと、
各機器を構成する取替部品の情報が格納された取替部品データベースと、
対象となる工事件名及び定期点検工事回数の指定を受け付ける工事情報入力部と、
前記点検計画データベースを参照して、指定された工事件名及び定期点検工事回数において点検工事の対象となる機器を抽出し、前記取替部品データベースを参照して、前記抽出した各機器についての取替部品を抽出する交換部品抽出部と、を備えることを特徴とする。
また、本発明において、前記取替部品を表す情報は、取替部品の発注先を示す情報を含み、前記抽出した取替部品を発注先ごとに集計する購入品集計部を備えることとしてもよい。
【０００６】
上記の設備管理システムによれば、これまで発注に伴う取替部品集計作業にかかっていた手間を削減することができ、また、計算機による処理により行われるため、人為的なミスなどが起こる可能性を減らすことができ、スムーズな点検作業計画を行うことが可能になる。
【０００７】
なお、本発明の設備管理方法は、各回の定期点検工事における点検対象機器の指定を含んだ点検計画に関する情報が格納された点検計画データベースと、各機器を構成する取替部品の情報及び当該取替部品の発注先を示す情報が格納された取替部品データベースと、にアクセス可能なコンピュータが、
対象となる工事件名及び定期点検工事回数の指定を受け付ける工事情報入力部と、
前記点検計画データベースを参照して、指定された工事件名及び定期点検工事回数において点検工事の対象となる機器を抽出し、前記取替部品データベースを参照して、前記抽出した各機器についての取替部品を抽出するステップと、を実行することを特徴とする。
【発明の効果】
【０００８】
本発明の設備管理システムによれば、これまで手作業で行ってきた発注に伴う取替部品集計作業を計算機によりわずかな時間で処理することができ、労力を減らし、作業時間を削減することができる。
【発明を実施するための最良の形態】
【０００９】
以下、本発明の設備管理システムの一実施形態について図面に基づき説明する。
図１は、設備管理システム１の構成図である。同図に示すように、設備管理システム１は点検計画データベース２と、取替部品データベース３と、工事情報入力部４と、交換部品抽出部５と、購入品集計部６と、購入明細出力部７とを備える。
【００１０】
図２は、点検計画データベース２に記憶されている情報の構成及びその一例を示す図である。同図に示すように、点検計画データベース２には、プラント名１０と、工事件名１１と、点検の対象となる機器の名称１２と、機器ごとに各工事回数１３における点検の対象か否かに関する情報１４とが記憶されている。
【００１１】
また、図３は、取替部品データベース３に記憶されている情報の構成及びその一例を示す図である。同図に示すように、取替部品データベース３には、プラント名１０と、工事件名１１と、機器の名称１２と、部品番号１５と、部品名称１６と、部品の発注先である納入会社名１７とが記憶されている。
【００１２】
工事情報入力部４は、点検工事の際に工事の対象となるプラント名１０、工事件名１１、及び各工事回数１３の指定を受付け、これらの情報を交換部品抽出部５に送信する。
交換部品抽出部５は、点検計画データベース２を参照して、指定された工事の対象となるプラント名１０、工事件名１１、及び各工事回数１３に基づいて、点検の対象となる機器の名称１２を抽出する。さらに、取替部品データベース３を参照して、プラント名１０と、工事件名１１と、点検の対象となる機器の名称１２とに基づいて、各機器についての部品番号１５と、部品名称１６と、部品の発注先である納入会社名１７を抽出する。
【００１３】
購入品集計部６は、交換部品抽出部５において抽出された情報に基づいて、取替部品を発注先である納入会社ごとに集計する。購入明細出力部７は、納入会社ごとに集計された発注内容を購入明細書などとして出力する。
【００１４】
次に、設備管理システムの処理の流れについて説明する。
プラントの点検工事はプラント共用期間中に幾度も行われており、プラント内の各機器そして各部品に至るまで検査及び取替を行う。プラント共用期間中に行われる点検工事は、機器ごとにプラント共用期間中複数回行われ、その工事回数ごとに検査及び取替の対象となる部品が異なる。そのため、予め点検工事の計画が緻密に立てられており、各点検工事の工事回数における作業内容が定められている。
【００１５】
これらの点検工事計画に基づき、予め機器点検計画データベース２には、プラント名１０、各工事件名１１、工事の対象となる機器の名称１２、工事回数１３、及び工事回数ごとに取替部品が工事の対象か否かに関する情報１４が登録される。
また、取替部品データベース３には、点検工事計画及び機器の取扱説明書に基づき、プラント名１０、工事件名１１、機器の名称１２、点検工事において検査の対象となる各機器の取替部品名称１６と、その部品の部品番号１５と、その部品の発注先である納入会社名１７が登録される。
【００１６】
点検工事を行う際には、まず、その工事件名１１及び工事回数１３を工事情報入力部４より入力する。入力された工事件名１１及び工事回数１３は、交換部品抽出部５に送られる。交換部品抽出部５は工事件名１１及び工事回数１３に基づき、点検計画データベース２を参照して、点検の対象となる機器の名称１２を抽出する。次に、交換部品抽出部５は、抽出された点検の対象となる機器の名称１２に基づき、取替部品データベース３を参照して各機器の取替部品名称１６及び納入会社名１７についての情報を抽出する。そして、交換部品抽出部５は、これら抽出された情報を購入品集計部６に送信する。
【００１７】
購入品集計部６では、交換部品抽出部５より送られた情報を集計し、納入会社ごとの発注部品のリストを作成する。図４は、集計された納入会社に関する部品発注情報の一例である。同図に示すように、購入品集計部６は納入会社ごとに指定された工事及び工事回数における購入の対象となる部品及びその個数や単価等を集計して出力する。これらの購入の対象となる部品及びその個数や単価等は購入明細書等として出力され、発注担当者はこれをもとに発注を行えばよい。
【００１８】
上記の設備管理システム１によれば、予め工事計画等の情報を点検計画データベース２に記憶させ、部品に関する情報を取替部品データベース３に記録させておけば、工事情報入力部４より工事件名１１及び工事回数１３を入力するだけで各点検工事の各工事回数における取替部品の情報が納入会社ごとにまとめて出力される。このため、これまで発注作業にかかっていた手間を削減することができ、また、コンピュータ処理により行われるため、人為的なミスなどが起こる可能性を減らすことができ、スムーズな点検作業計画を行うことが可能になる。
なお、同じ部品が異なる機器に用いられる場合に機器によってその名称が異なることがある。本実施形態では、各部品に固有の部品番号を付け、それを基に集計するので、そのような場合にも、正しく購入品を集計することができる。
【図面の簡単な説明】
【００１９】
【図１】設備管理システム１の構成を示すための構成図である。
【図２】点検計画データベースに記憶されている情報の構成及びその一例を示す図である。
【図３】取替部品データベースに記憶されている情報の構成及びその一例を示す図である。
【図４】集計された納入会社ごとの発注情報の一例である。
【符号の説明】
【００２０】
１  設備管理システム
２  点検計画データベース
３  取替部品データベース
４  工事情報入力部
５  交換部品抽出部
６  購入品集計部
７  購入明細出力部
１０  プラント名
１１  工事件名
１２  機器の名称
１３  工事回数
１４  各点検回数における工事の対象か否かに関する情報
１５  部品番号
１６  部品名称
１７  納入会社名
【図１】
2007241437.tif 000003
【図２】
2007241437.tif 000004
【図３】
2007241437.tif 000005
【図４】
2007241437.tif 000006